(57)【要約】      （修正有）【課題】駐車場の利用者の感性に訴えて、また、物理的な振動によって、駐車枠区画線スペースに、自動車の駐車誘導を可能にする。【解決手段】駐車舗装面１に設ける駐車枠区画スペース２全面、もしくは、ほぼ全面に、塗料を塗布して駐車枠区画線スペースとし、その駐車枠区画線スペースに図案等を設ける。あるいは、駐車枠区画スペース２を、それと同寸同一形状の耐候性耐磨耗性の樹脂シート、もしくは、タイルにて構成し、所定の駐車枠区画スペース２に接着する。また、図柄３等を突出させたり、車枠区画線に沿って、警告突起物を付設する。【選択図】図１
2011169089.tif 000002
【特許請求の範囲】
【請求項１】
駐車舗装面に設ける駐車枠区画の全面、もしくは、ほぼ全面に塗料を塗布して駐車枠区画スペースとし、その駐車枠区画スペースに図柄を設けたことを特徴とする図柄を設けた駐車枠区画スペース。
【請求項２】
図柄を設けた駐車枠区画スペースを、図柄を設けた、同寸同一形状の駐車枠区画スペースシート、もしくは、駐車枠区画スペースタイルとして構成し、所定の駐車枠区画スペース位置に接着することを特徴とする請求項１記載の図柄を設けた駐車枠区画スペース。
【請求項３】
図案等を突出して設けたことを特徴とする請求項１、もしくは２記載の図柄を設けた駐車枠区画スペース。
【請求項４】
駐車枠区画スペースの外周に沿って、警告突起物を付設したことを特徴とする特許請求項１、もしくは２、あるいは３記載の図柄を設けた駐車枠区画スペース。
【発明の詳細な説明】
【技術分野】
【０００１】  本発明は、駐車舗装面に設ける、ダブルラインによる駐車枠区画線の改良に関する。
【背景技術】
【０００２】  従来、駐車舗装面に設ける駐車枠区画線は、慣行的に塗料を塗布して行なわれるのみで、その太線に関しては、太線の塗料層の表面に、下面に印刷情報を印刷した透明な樹脂層を接着し、印刷情報を透過して視認させるものがある。（例えば、特許文献１参照）
【先行技術文献】
【特許文献】
【０００３】
【特許文献１】  特開２００９−１５００７７
【発明の概要】
【発明が解決しようとする課題】
【０００４】  従来、駐車舗装面に設ける駐車枠区画線としては、シングルライン、もしくはダブルラインの形で、舗装面に塗料を塗布して設けていた。両者を比較すると、ダブルライン方式の方が、隣接する自動車の位置を適切に誘導する効果が高いことは、よく知られている。【０００５】  しかし、ダブルライン方式の駐車枠区画線であっても、下手な運転者や、そそっかしい運転者によっては、バック駐車する際に、見誤って駐車枠区画スペース内に車輪を入れてしまうこともよくある。見誤る原因としては、バックミラーに写る駐車枠区画線が、左右どちらも同じ白線であるため、うっかりその左右の線を勘違いしていることがある。その場合、再度、車を入れなおすのが好ましいが、あまり意に介しないで、そのままにしている人も多い。【０００６】  その点にかんがみ、駐車枠区画スペース面を、視覚的に強調しするとともに、運転者の感性にも訴えて、駐車枠区画スペース内に車輪が入らないように、自動車の駐車誘導を可能にすることを課題とする。
【課題を解決するための手段】
【０００７】  本発明は、駐車舗装面に設ける駐車枠区画スペース全面、もしくは、ほぼ全面に塗料を塗布し、その駐車枠区画線スペースに、複数個の図柄等を設ける。【０００８】  あるいは、塗料塗布に代えて、予め、駐車枠区画スペースと同寸同一形状の耐候性耐磨耗性の樹脂シートに、地色と図柄等をプリントした駐車枠区画スペースシートを用意し、所定の駐車枠区画スペース位置に接着する。【０００９】  あるいは、駐車枠区画スペースシートに代えて、予め、同一形状同寸の形状に合成できる駐車枠区画スペースタイルを用意し、所定の駐車枠区画スペース位置に接着する。【００１０】  更に、場合によっては、その図柄に車体が乗り上げた場合、運転者が、車体の異常振動を感じられるように、その図柄を突出させる。【００１１】  あるいは、駐車枠区画スペースの外周線に、自動車が乗り上げた場合、運転者が異常振動を感じるような、警告突起物を設ける。
【発明の効果】
【００１２】  本発明の図案を設けた駐車枠区画スペースは、従来からあるダブルラインによる駐車枠区画内のスペース（以下、駐車枠区画スペースと言う）を、白色などの塗料によって塗付し、その上に、スマイルマークとかチューリップ・ダリヤなどの花、あるいは、蝶やトンボ、猫や犬などのペットを、図柄化して設けている。そのため、自動車のバック駐車の際にはバックミラーを介して、駐車枠区画スペースを面として捉え、そのその幅の狭さ広さ加減によって、バック駐車がうまくいっているかどうかが、直感的に感じ取れる。したがって、今までのように、２本の駐車枠区画線の左右を勘違いして、駐車枠区画スペースに侵入してしまうことは避けられる。【００１３】  駐車枠区画スペースは、本来、自動車の車輪を乗り入れてはいけない場所である。しかし、それを強制することは出来ず、運転者の配慮に待つしかないのが現状である。その点、本発明においては、駐車枠区画スペースに、好感の抱ける図柄が配置されているため、運転者は、無意識のうちにその図柄を避けて駐車する効果が期待できる。【００１４】  実施例２、ならびに実施例３は、本発明の施工を、樹脂シートまたはタイルによって行なうものである。図柄等を、樹脂シートにプリントするため、塗料の塗付では表現が困難だった、繊細な模様や色彩のコントラストも自由自在となり、今まででは想像も出来なかったような、美的な駐車場のデザインの創出も可能となる。また、その施工も接着作業のみとなるので、非常に簡便である。【００１５】  本発明は、駐車場のデザインの創出にとどまらないで、商業的な効果が期待できる。即ち、図柄をＣＭ的なものにデザインすることによって、その広い駐車場に多数並置されている駐車枠区画スペースは、一挙に、きわめて有効なＣＭスペースとしての活用ができることになる。【００１６】  実施例４と実施例５は、車体の駐車枠区画スペースへの誘導を、物理的にも感知させるものである。即ち、その図柄自体を突出させるとか、あるいは、駐車枠区画スペースの外周線に沿って警告突起物を付設しているため、運転者が駐車する際に、その車輪が、駐車枠区画スペース内に入ると、突出した図柄等とか、外周線に沿った警告突起物に当たり、車体は、必ず異常振動を発生する。【００１７】  そのため、上記の、無意識的に駐車枠区画スペースの図柄等を避けようとする気持ちとあいまって、正しい駐車位置に入れ直そうとする効果を期待できる。
【図面の簡単な説明】
【００１８】
【図１】  本発明を示す説明図。
【図２】  本発明の実施例２による駐車枠区画スベースシートの斜面図。
【図３】  本発明の実施例３による駐車枠区画スベースタイルの斜面図。
【図４】  本発明の実施例４を示す一部切断斜面図。
【図５】  本発明の実施例５を示す一部切断斜面図。
【発明を実施するための形態】
【００１９】  本発明を実施する、最良の形態について図に基づいて説明する。
【実施例１】
【００２０】  図１によって、実施例１を説明する。駐車舗装面１に設ける、駐車枠区画のスペースの全面、もしくは、ほぼ全面に塗料を塗布し、駐車枠区画スペース２とする。塗料の色は、特に限定しないが、一般的には、白色とか黄色などの明色を用いる。【００２１】  その駐車枠区画線スペース２に、例えば図示のように、スマイルマークなどの図柄３を、型枠などを介して塗付する。４は、車止めブロックである。尚、図柄３は、アニメなどのデザイン画とか、ロゴマーク・商標・サービスマーク・文字などの標記を含む。
【実施例２】
【００２２】  図２によって、実施例２を説明する。駐車枠区画スペース２と同寸同一形状の耐候性耐磨耗性の樹脂シートに、地色と図柄３をプリントして、駐車枠区画スペースシート５とする。駐車枠区画スペースシート５は、予め数多くの種類を用意し、施工者は、施工主の希望を聞きながら選択して、所定の駐車枠区画スペース位置に接着する。
【実施例３】
【００２３】  図３によって、実施例３を説明する。この実施例は、実施例２における駐車枠区画スペースシート５に代えて、同寸同一形状に合成できる複数の駐車枠区画スペースタイル６として構成する。駐車枠区画スペースタイル６の種類は、予め多数用意し、施工者は、施工主の希望を聞きながら選択して、所定の駐車枠区画スペース位置に接着する。
【実施例４】
【００２４】  図４によって、本発明の実施例４を説明する。駐車舗装面１に設けた駐車枠区画線スペース２に、図柄３を突出して接着する。この突出の高さは特に限定しないが、運転者が駐車する際、その車輪が、突出した図柄３を踏んだ場合に、車体が、その異常振動を感知できる程度でよい。尚、図柄３は、樹脂製または陶器製によって、接着可能に準備する。
【実施例５】
【００２５】  図５によって、本発明の実施例５を説明する。駐車枠区画スペース２の外周に沿って、警告突起物７を付設する。この警告突起物７を突出させる高さは、上記の図柄等３の突出とほぼ同様である。即ち、運転者が駐車する際に、その車輪が、突出し警告突起物５を踏んだ時に生じる、車体の異常振動を感知できる程度とする。
【産業上の利用可能性】
【００２６】
【符号の説明】
【００２７】１  駐車舗装面
２  駐車枠区画スベース
３  図柄
４  車止めブロック
５  駐車枠区画スベースシート
６  駐車枠区画スベースタイル
７  警告突起物
【図１】
2011169089.tif 000003
【図２】
2011169089.tif 000004
【図３】
2011169089.tif 000005
【図４】
2011169089.tif 000006
【図５】
2011169089.tif 000007